(57)【要約】  取り付け可能な筆記アセンブリには、カバー部材、視覚的に透明な筆記部材、パーソナライズされた情報又は画像を表示する交換可能なシート、及びカバー部材内に取り外し可能な状態で保持されている裏張り部材が含まれる。カスタマイズされたドライイレースボードをユーザが作成することができる方法も開示される。【選択図】図１
2010537865.tif 000002
【特許請求の範囲】
【請求項１】
（ａ）凹んだ空洞領域及び中央の表示領域を画定するカバー部材と、
（ｂ）消去可能な筆記に適した第一主表面、及び該第一主表面の裏側にある第二主表面を有し、中央の該表示領域に隣接して該カバー部材の凹んだ該空洞領域内に配置された、視覚的に透明な筆記部材と、
（ｃ）該筆記部材の第二主表面に隣接して配置される裏張り部材と、
（ｄ）該カバー部材内に該筆記部材と該裏張り部材を取り外し可能な状態で保持するよう配置された保持機構と、を含む、取り付け可能な筆記アセンブリ。
【請求項２】
前記筆記部材が剛性である、請求項１に記載の筆記アセンブリ。
【請求項３】
前記筆記部材が柔軟なシートである、請求項１に記載の筆記アセンブリ。
【請求項４】
前記筆記部材が合成プラスチック材質から形成される、請求項３に記載の筆記アセンブリ。
【請求項５】
前記合成プラスチック材質が、ポリエチレンテレフタレート、ポリプロピレン、透明ポリスチレン、又はアクリロニトリルブタジエンスチレン（ＡＢＳ）のうち少なくとも１つである、請求項４に記載の筆記アセンブリ。
【請求項６】
前記筆記部材が、前記第一主表面上に配置されるハードコート層を更に含む、請求項５に記載の筆記アセンブリ。
【請求項７】
前記筆記部材が、前記第二主表面上に配置されるハードコート層を更に含む、請求項６に記載の筆記アセンブリ。
【請求項８】
前記筆記アセンブリを完全に組み立てた状態のとき、前記裏張り部材が、前記カバー部材の凹んだ空洞領域内に筆記部材を保持できる十分な硬さを有する、請求項１に記載の筆記アセンブリ。
【請求項９】
前記筆記部材と前記裏張り部材との間に配置されたグラフィックディスプレイ部材を更に含む、請求項１に記載の筆記アセンブリ。
【請求項１０】
前記グラフィックディスプレイ部材が、２２×２８ｃｍ（８  １／２×１１インチ）及びＡ４サイズの紙のうち少なくとも１つから選択され、この上にパーソナライズされた情報又は画像がある、請求項９に記載の筆記アセンブリ。
【請求項１１】
前記筆記アセンブリ上に筆記用具を取り外し可能な状態で保持するための保持機構を更に含む、請求項１に記載の筆記アセンブリ。
【請求項１２】
前記保持機構上に配置された筆記用具を更に含む、請求項１１に記載の筆記アセンブリ。
【請求項１３】
前記カバー部材が、前壁部分、及び全体に該前壁部分へ垂直に延びている側壁部分を含み、これらにより凹んだ前記空洞領域を画定し、この中で該側壁部分が凹みの深さを画定する、請求項１に記載の筆記アセンブリ。
【請求項１４】
前記筆記部材、前記グラフィックディスプレイ部材、及び前記裏張り部材が前記カバー部材内に配置され、該裏張り部材が、凹んだ領域内で奥まって配置されており、該裏張り部材と該カバー部材の該側壁部分のエッジとの間の隔たりを画定する、請求項１に記載の筆記アセンブリ。
【請求項１５】
前記筆記アセンブリを何らかの表面に、粘着によって取り外し可能な状態で固定するために、該筆記アセンブリの裏側に配置された、少なくとも１本の延伸除去式粘着ストリップを更に含む、請求項１に記載の筆記アセンブリ。
【請求項１６】
前記延伸除去式粘着ストリップが、内部的に再密閉可能な締結具の層を含み、これにより該粘着ストリップが分離と再密閉を繰り返すことができる、請求項１５に記載の筆記アセンブリ。
【請求項１７】
前記の再接着可能な延伸除去式粘着ストリップが、前記裏張り部材と前記カバー部材の前記側壁部分のエッジとの間の前記隔たりを超える厚みを有する、請求項１６に記載の筆記アセンブリ。
【請求項１８】
（ａ）凹んだ空洞領域、その凹んだ空洞領域へのアクセスを提供するスロット、及び中央の表示領域を含む一体型フレームと、
（ｂ）中央の該表示領域に配置され、消去可能な筆記に適した第一主表面、及び該第一主表面の裏側にある第二主表面を有し、中央の該表示領域に隣接して該カバー部材の凹んだ該空洞領域内に取り外し可能な状態で配置された、視覚的に透明な筆記部材と、
（ｃ）中央の該表示領域の反対側の、視覚的に透明な該筆記部材の該第二主表面に隣接して配置されたグラフィックディスプレイ部材と、を含む、取り付け可能な筆記アセンブリ。
【請求項１９】
前記筆記アセンブリを何らかの表面に、粘着によって取り外し可能な状態で固定するために、該筆記アセンブリの裏側に配置された、少なくとも１本の延伸除去式粘着ストリップを更に含む、請求項１８に記載の筆記アセンブリ。
【請求項２０】
（ａ）カバー部材を提供する工程と、
（ｂ）該カバー部材内に、視覚的に透明かつ柔軟な筆記部材を配置する工程と、
（ｃ）柔軟な該筆記部材に隣接してカバー部材内にフィットするような寸法の紙のシートを提供する工程と、
（ｄ）該紙のシートをパーソナライズすることによってパーソナライズされたグラフィックディスプレイ部材を作成する工程と、
（ｅ）該筆記部材に隣接してカバー部材内にパーソナライズされた該グラフィックディスプレイ部材を配置する工程と、
（ｆ）パーソナライズされた該グラフィックディスプレイ部材に隣接して該カバー部材内に裏張り部材を配置する工程と、
（ｇ）該筆記部材、該紙のシート、及び該裏張り部材を、該カバー部材内に取り外し可能な状態で固定する工程と、
を含む、カスタマイズされたドライイレースボードをエンドユーザが作成することができる、方法。
【発明の詳細な説明】
【発明の詳細な説明】
【０００１】
［背景］
本発明は、概して消去可能な筆記表面に関するものであり、より具体的には透明な消去可能筆記表面を含む取り付け可能な筆記表面に関する。
【０００２】
ホワイトボード及びドライイレースボードを含む消去可能な筆記表面は、オフィス、会議室、及び学校の教室で一般的に使用されている。ホワイトボードは、メラミン樹脂又は磁器エナメル加工の鋼で構築され得る硬質の非多孔性表面を含む。一般的にホワイトボードから消去できるインクが入った、特殊なホワイトボード用イレースマーカーは、ホワイトボードと共に使用するための設計になっている。
【０００３】
ホワイトボードは、先行技術においても既知である。例えば、ＰＣＴ公開第ＷＯ  ２００４／０１１２６９号（アソーン−テレプ（Ａｔｈｏｒｎ−Ｔｅｌｅｐ））は、ドライイレース媒体として使用するための物品を開示している。米国特許第７，２５５，５６６号（ガルブレイス・コーツ（Ｇａｌｂｒａｉｔｈ  Ｃｏａｔｅｓ）では、書き込みを拭いて消せるブックホルダーが開示されている。
【０００４】
この業界は常に、更に改良された消去可能筆記表面と、そのような表面をユーザが使用できるような改善された方法を求めている。
【０００５】
［要約］
例えば壁、ドア、又は家具などの表面に粘着剤で取り付けることができ、かつ多用途で、安価で、製造、使用及び維持が容易であるような、消去可能な筆記表面のニーズが存在する。
【０００６】
本発明は、取り付け可能な筆記アセンブリを提供する。これには、凹んだ空洞領域と中央の表示領域のあるカバー部材、その中央の表示領域に隣接してカバー部材の凹んだ空洞領域内に配置された視覚的に透明な筆記部材（この筆記部材の表面には、消去可能な筆記に適した第一主表面、及び第一主表面の裏側にある第二主表面がある）、筆記部材の第二主表面に隣接して配置される裏張り部材、及びカバー部材の凹んだ空洞領域内に筆記部材と裏張り部材を取り外し可能な状態で保持するよう配置された保持機構が含まれる。
【０００７】
１つの実施形態において、この筆記部材は剛性であり、ガラスなどの材質で形成することができ、並びに別の実施形態において、この筆記部材は柔軟であり、ポリエチレンテレフタレート（ＰＥＴ）、ポリカーボネート、ポリプロピレン、透明ポリスチレン、又はアクリロニトリルブタジエンスチレン（ＡＢＳ）などの材質の薄いシートから形成され得る。より具体的な実施形態において、この筆記部材は、ハードコート層を更に含み、これにより更に耐久性のある非多孔性筆記表面を製造することができる。
【０００８】
より具体的な実施形態において、筆記アセンブリを完全に組み立てた状態のとき、この裏張り部材は、カバー部材の凹んだ空洞領域内に筆記部材を保持できる十分な硬さを有する。
【０００９】
本発明の別の態様において、筆記アセンブリは、筆記部材と裏張り部材との間に配置されたグラフィックディスプレイ部材を含むことができる。グラフィックディスプレイ部材には、ユーザが供給するパーソナライズされた情報又は画像を含めることができる。グラフィックディスプレイ部材は、筆記アセンブリから容易に取り外すことができ、別の情報又は画像を含む別のグラフィックディスプレイ部材に交換することができる。具体的な実施形態において、このグラフィックディスプレイ部材は、例えば２２×２８ｃｍ（８  １／２×１１インチ）、又はＡ４サイズの紙で、印刷可能媒体の標準サイズの紙のシートを含み、ここにパーソナライズされた情報又は画像がある。
【００１０】
別の態様において、この筆記アセンブリは、筆記アセンブリ上に筆記用具を取り外し可能な状態で保持するための保持機構が更に含まれる。筆記アセンブリには、保持機構上に取り外し可能な状態で配置された筆記用具も更に含まれ得る。
【００１１】
別の態様において、筆記アセンブリには、筆記アセンブリを表面に粘着によって取り外し可能な状態で固定するために、筆記アセンブリの裏側に配置された少なくとも１本の延伸除去式粘着ストリップが含まれる。延伸除去式粘着ストリップは、カバー部材上、裏張り部材上、又はカバー部材の裏側にスナップ嵌めを行う別個のクリップ上に配置することができる。より具体的な態様において、延伸除去式粘着ストリップには、内部的に再密閉可能な締結具が含まれ、これにより粘着ストリップが分離と再密閉を繰り返すことができる。
【００１２】
別の態様において、本発明はエンドユーザに対し、カスタマイズされたドライイレースボードを作成することができる方法を提供する。この方法には、カバー部材を提供すること、このカバー部材内に視覚的に透明かつ柔軟な筆記部材を配置すること、この柔軟な筆記部材に隣接してカバー部材内にフィットするような寸法のシート材を提供すること、このシート材をパーソナライズすることによってパーソナライズされたグラフィックディスプレイ部材を作成すること、筆記部材に隣接してカバー部材内にこのパーソナライズされたグラフィックディスプレイ部材を配置すること、パーソナライズされたグラフィックディスプレイ部材に隣接してカバー部材内に裏張り部材を配置すること、並びに、この筆記部材、シート材、及び裏張り部材を、カバー部材内に取り外し可能な状態で固定することが挙げられる。より具体的な態様において、シート材は、紙のシート、又は合成プラスチック材質で形成された印刷可能なシートであってもよい。
【００１３】
本発明における特定の実施形態の利点には、耐久性があり、製造と使用が容易であり、透明な筆記表面を含み、エンドユーザがカスタマイズできる交換可能なグラフィックシートを含み、取り外し可能な状態で表面に取り付けることができるような、消去可能な筆記表面を提供することが挙げられる。
【図面の簡単な説明】
【００１４】
本発明は、以下の添付図面を参照することで更に説明される。
【図１】本発明による取り付け可能な筆記アセンブリの分解組立て正面図。
【図２】本発明による裏側からの分解組立て斜視図。
【図３】図１の取り付け可能なアセンブリの図解断面図。
【図４】本発明の別の実施形態の斜視図。
【００１５】
［詳細な説明］
同じ参照番号は複数の図を通しても同じ又は対応する部品を参照する図をここで参照すると、図１〜３は取り付け可能な筆記アセンブリ２を示し、これにはカバー部材４、透明な筆記部材６、交換可能なグラフィックディスプレイ部材８、裏張り部材１０、及びアセンブリ２を何らかの表面、例えば壁又はドアの表面などに取り外し可能に接着するための延伸除去式粘着ストリップ１２が含まれる。
【００１６】
カバー部材４には前壁部分４ａ、及び一続きになった側壁部分４ｂがあり、この側壁は、前壁部分４ａからほぼ垂直に延びている。前壁部分４ａ及び側壁部分４ｂが結合して凹んだ空洞領域１４が画定され、この部分は、筆記部材６、グラフィックディスプレイ部材８、及び裏張り部材１０を受容する大きさになっている。すなわち、側壁部分４ｂが前壁部分４ａから一定距離延びることで、筆記部材６、グラフィックディスプレイ部材８、及び裏張り部材１０を合わせた厚さが収まる程度の凹みの深さを画定する。前壁部分４ａ及び側壁部分４ｂはまた、結合して開口部１６を画定し、これが中央の表示領域となり、これを通してグラフィックディスプレイ部材８をユーザが見ることができる。カバー部材４は通常、堅く非柔軟性となるよう製造され、射出成型による合成ブラスチック材料、金属、木、又はその他の好適な材料で形成することができる。
【００１７】
筆記部材６は、開口部１６に隣接するカバー部材４の凹んだ空洞領域１４内に配置される。筆記部材６は、例えば糊若しくは接着剤を使用してカバー部材４に接合若しくは貼付することができ、又はカバー部材４内にゆるく配置し、組み立てた筆記アセンブリ２自体によって固定されるようにすることもできる。すなわち、筆記部材６は、筆記アセンブリ２自体の構造又は制限により、組み立てた筆記アセンブリ２内に保持することができる。
【００１８】
筆記部材６には、相対する第一主表面１８及び第二主表面２０が各々あり、少なくともこのうち一方が、例えば非油性マーカー（例えばホワイトボード又はドライイレースボード用に設計されたもの）を使用して、消去可能な筆記を行うのに適している。このような非油性マーカーは、布、ペーパータオルなどで消去することができる。
【００１９】
筆記アセンブリ２の１つの態様によれば、筆記部材６は透明、又は視覚的に透明である。筆記部材６は、例えば、ガラス、又は、ポリエステル（例えばポリエチレンテレフタレート（ＰＥＴ））、ポリプロピレン、ポリカーボネート、透明ポリスチレン、アクリロニトリルブタジエンスチレン（ＡＢＳ）、若しくはポリメチルメタクリレート材料を含む合成プラスチック材料から形成され得る。筆記部材６は剛性であってもよく、また、厚さが少なくとも約５ｍｉｌ、又は少なくとも約１０ｍｉｌであり、最大の厚さが約３０ｍｉｌ以下、又は約５０ｍｉｌ以下の、薄く柔軟な材質のシートであってもよい。さまざまな実施形態において、筆記部材６は、ＰＥＴ又はポリプロピレンの薄く柔軟なシートであってもよい。より具体的な実施形態において、筆記部材６は、少なくとも第一主表面１８上に配置されたハードコート層を含み得る。エンドユーザには、筆記部材６のどの表面にハードコートが含まれるのかを検知するのは難しいことがあり得るので、筆記部材６の第一主表面１８と第二主表面２０の両方にハードコートを含んでもよい。ハードコートは例えば、アクリルハードコートであってもよく、より具体的には、ＵＶ硬化アクリルモノマーハードコートであってもよい。
【００２０】
例示されている実施形態において、筆記アセンブリ２には、筆記部材６と裏張り部材１０の間に配置された、光学グラフィックディスプレイ部材８が含まれている。グラフィックディスプレイ部材８には、カバー部材４の側を向き、筆記部材６に隣接して配置された、第一主表面２６が含まれる。グラフィックディスプレイ部材８の第一主表面２６には、情報、絵、グラフィック画像、マークなどが含まれ得る。１つの態様において、グラフィック画像は、この製品のエンドユーザによって提供される。このグラフィック情報は、個人の好み又はユーザのニーズに合わせて、パーソナライズ又は定期的に変更することができる。
【００２１】
１つの態様において、グラフィックディスプレイ部材８は、印刷可能媒体の標準サイズのシート、例えば２２×２８ｃｍ（８  １／２×１１インチ）、又は、印刷可能媒体のＡ４サイズのシートで、ここに、筆記アセンブリ２のエンドユーザによって供給される、パーソナライズしたマーク又は図がある。印刷可能媒体のシートは、例えば、紙、又は合成プラスチック材質で形成された印刷可能なフィルムであってもよい。このようにして、エンドユーザは、例えばクリップアート又はさまざまな種類が利用できるコンピュータソフトウェアプログラム（コンピュータグラフィックスなどのアートワークを作成、又は写真を印刷し、レーザープリンタ及び／若しくはインクジェット型プリンタなどの利用可能なプリンタを使用するよう設計されている）を用いて、グラフィックディスプレイ部材８に独自のグラフィックディスプレイを作成することができる。紙は、任意のサイズ又はウェイトを使用でき、光沢紙でもよいし、写真用紙として一般に知られている紙であってもよい。
【００２２】
裏張り部材１０はグラフィックディスプレイ部材８に隣接して配置される。１つの態様において、裏張り部材１０は、筆記アセンブリ２を完全に組み立てた状態のときに、筆記部材６及びグラフィックディスプレイ部材８をカバー部材４内に保持できるよう、十分な硬さ又は剛性を有する。すなわち、筆記アセンブリ２を完全に組み立てたとき、裏張り部材１０は筆記部材６とグラフィックディスプレイ部材８の両方を保持するが、筆記アセンブリ２を分解し裏張り部材１０を取り外したとき、筆記部材６とグラフィックディスプレイ部材８は、カバー部材４の凹んだ空洞領域１４から手で外すことができる。
【００２３】
別の態様において、裏張り部材１０は、ユーザが筆記部材６上に書くことができるようにするための硬表面を含む。すなわち、筆記部材６及び／又はグラフィックディスプレイ部材８上に効果的に書くことができない場合、この裏張り部材１０が十分な堅さと硬表面を供給することにより、ユーザが筆記部材の上に書くことを可能にする。裏張り部材１０は、合成プラスチック材質、板紙、厚紙、木、又は積層体を含むさまざまな材質で形成することができる。
【００２４】
クリップ、留め金、又は他の利用可能な締結具などの保持機構２２が、カバー部材４の裏側に配置され、カバー部材４内で裏張り部材１０及び筆記部材６が、取り外し可能な状態で保持される。保持機構２２は、裏張り部材１０をカバー部材４内に配置するか又は取り外すことができる開位置と、裏張り部材１０をカバー部材４内の凹んだ空洞領域１４内に保持する保持位置との間を切り替えることができる。選択される保持機構２２の特定の形態は、裏張り部材１０が、カバー部材４内の凹んだ空洞領域１４内に取り外し可能な状態で保持されるような望ましい機能を提供する限り、本発明においては重要ではない。例えば、保持機構には、カバー部材４の裏側にスナップ嵌めを行う別個の部品を含めることができる。
【００２５】
別の態様において、筆記アセンブリ２には、非油性マーカーなどの筆記用具２８、及びこの筆記用具２８を筆記アセンブリ２上に、取り外し可能な状態で保持するためのホルダー３０が含まれる。ホルダー３０は、筆記用具２８を筆記アセンブリ２に取り外し可能な状態で固定するよう配置された、例えばクランプ、保管棚、磁石システム、又はフック・ループ式ファスナーであってもよい。
【００２６】
延伸除去式粘着ストリップ１２は、筆記アセンブリ２を、例えば壁、ドア、又は家具などの表面に、取り外し可能な状態で接着するために提供される。図示されている実施形態において、筆記アセンブリ２を何らかの表面に取り付けるために、一組の粘着ストリップ１２が提供されている。例えば、筆記アセンブリ２の寸法及び／又は重量に応じて、１枚以上の粘着ストリップが使用できることが理解されるであろう。図示されている実施形態において、及び、図３を参照してより詳しく後述されるように、粘着ストリップ１２は裏張り部材１０上に配置される。粘着ストリップ１２は、カバー部材４上に配置することもでき、又は、筆記部材６、グラフィックディスプレイシート８、及び裏張り部材１０を定位置に保持するためにカバー部材４の裏側にスナップ嵌めを行うための別個のクリップ（図示なし）上に配置することもできる。
【００２７】
ここで図３を参照し、粘着ストリップ１２は、カバー部材４の裏側エッジと、裏張り部材１０の裏表面との間の凹部深さ「ｄ」を上回る厚みを有する。ここで、粘着ストリップ１２の露出した粘着面は、カバー部材４の裏側エッジを超えた位置にある。すなわち、筆記部材６、グラフィックディスプレイ部材８、及び裏張り部材１０がカバー部材４の凹んだ空洞領域１４内に配置されているとき、グラフィックディスプレイ部材８とは反対側の裏張り部材１０の面が、カバー部材４の凹んだ空洞領域１４内で奥まって配置されている場合があり、よって、裏張り部材１０とカバー部材４の裏側エッジとの間の隔たり「ｄ」が画定される。粘着ストリップ１２（裏張り部材１０の表面に接着されている）が取り付け表面（例えば壁、ドア、又は家具などの表面）に対しても粘着性によって貼付されるようにするためには、この粘着ストリップ１２の厚さは、この隔たり「ｄ」の深さ以上になる。
【００２８】
この隔たり距離「ｄ」を超える厚さを有する粘着ストリップ１２を提供することによって、粘着ストリップ１２の粘着面が、カバー部材４のエッジを超えた位置にあるため、これにより、筆記アセンブリ２を付着させる表面に対し、粘着ストリップ１２が接触することができるようになる。また別の方法として、粘着ストリップ１２は、裏張り部材１０の裏面ではなく、カバー部材４の裏側に配置することもでき、又は、筆記部材６、グラフィックディスプレイシート８、及び裏張り部材１０を、カバー部材４の凹んだ空洞領域１４内の定位置に保持するためにカバー部材４の裏側にスナップ嵌めを行うための別個のクリップ上に配置することもできる。
【００２９】
図４に示すように、粘着ストリップ１２には、再密閉可能な層３２によって取り外し可能な状態で接合された、一組の延伸除去式粘着ストリップ１２’、１２”が含まれていてもよい。この再密閉可能な層により、粘着ストリップ１２’及び１２”が分離と再密閉を繰り返し行うことができる。再密閉可能な層３２は、例えばフック・ループ式ファスナー材質、若しくはその他利用可能な機械的相互固定材質、又は繰り返し接着可能な粘着剤であってもよい。
【００３０】
延伸除去式粘着剤は、保持力が強力であることと、きれいに剥がれて表面が損傷しないこととを併せ持つ高性能な感圧性粘着剤である。両面粘着ストリップ１２は、弾性の裏材を有する延伸除去式粘着テープ、高度に延伸性がありかつ実質的に非弾性の裏材を有する延伸除去式粘着テープ、又は固体の弾性感圧性粘着材を備える延伸除去式粘着テープを含む、既知の任意の延伸除去式粘着テープであってもよい。
【００３１】
本発明のさまざまな実施形態の使用に好適な延伸除去式粘着テープには、高度に延伸性がありかつ実質的に非弾性の裏材を有する延伸除去式粘着テープ（米国特許第５，５１６，５８１号（クレッケル（Ｋｒｅｃｋｅｌ）ら）及び同第６，２３１，９６２号（ブリーズ（Ｂｒｉｅｓ）ら）、同第６，５６９，５２１号（シェリダン（Ｓｈｅｒｉｄａｎ）ら）、同第７，０７８，０９３号（シェリダン（Ｓｈｅｒｉｄａｎ）ら）に記載）、並びに固体の弾性感圧性粘着剤（ドイツ特許第３３  ３１  ０１６号に記載）が含まれる。その他の好適な延伸除去式粘着剤構成体には、別個の締結具を含む延伸除去式粘着剤テープラミネート（米国特許第６，９７２，１４１号（ブリーズ（Ｂｒｉｅｓ）ら）に記載）、内部的に分離可能な層を含むテープラミネート（米国特許第６，００４，６４２号（ラングフォード（Ｌａｎｇｆｏｒｄ））に記載）、及び細長い延伸除式能粘着剤（米国特許第６，６４１，９１０号（ブリーズ（Ｂｒｉｅｓ）ら）及び同第６，５４１，０８９号（ハメルスキー（Ｈａｍｅｒｓｋｉ）ら）に記載）が含まれる。
【００３２】
市販されている好適な延伸除去式粘着剤には、両面延伸除去式粘着剤、及び３Ｍピクチャー・ハンギング・ストリップ（Ｐｉｃｔｕｒｅ  Ｈａｎｇｉｎｇ  Ｓｔｒｉｐｓ）（コマンド（ＣＯＭＭＡＮＤ）の商品名で３Ｍ社（ミネソタ州セントポール）から販売）が挙げられる。市販のコマンド粘着剤は、剥がす間のストリップの引張りを促進するために非粘着性のプルタブをストリップの一端に備える分離ストリップとして現在製造されている。
【００３３】
延伸除去式粘着ストリップ１２には、粘着部分１２ａ（筆記アセンブリ２によって隠れるような位置に配置され得る）、及び非粘着性プルタブ部分１２ｂ（筆記アセンブリ２の裏側から外側に延在するよう配置され得る）が含まれる。例えば、参照により全体の内容が本明細書に組み込まれる、米国特許第６，９７２，１４１号（ブリーズ（Ｂｒｉｅｓ）ら）に記述されているもののように、粘着ストリップ１２に別個の締結具が含まれる場合、粘着ストリップ１２は、粘着ストリップの粘着部分１２ａと非接着プルタブ部分１２ｂとの両方が筆記アセンブリ２によって完全に隠れるように配置することができる。各粘着ストリップは、別個の締結具を介して粘着ストリップをまず分離し、次に、それぞれの表面から残る半分を延伸除去することができるため、これが可能となる。
【００３４】
ここで図４を参照する。図１〜３に図示されているものと機能的に類似のものは、対応する参照番号に１００を加えてある。図には、ハウジング１４０、筆記部材１０６、及びグラフィックディスプレイシート１０８を含む、別の取り付け可能な筆記アセンブリ１０２が示されている。この実施形態において、ハウジング１４０には固い裏面（図示なし）が含まれ得て、これにより図１〜３の裏張り部材１０が削除可能となる。別の方法として、ハウジング１４０には、開いた裏表面と、裏張り部材１０に類似の裏張り部材が含まれてもよい。
【００３５】
ハウジング１４０には、筆記部材１０６及びグラフィックディスプレイシート１０８を受容する凹んだ空洞が含まれる。筆記部材１０６はハウジング１４０に永久的に固定されていてもよく、また、ハウジング内に取り外し可能な状態で配置されていてもよい。ハウジング１４０の上側エッジにはスロット１４２があり、これにより、グラフィックディスプレイシート１０８をハウジング１４０内に手で容易に挿入及び／又は取出すことができる。スロット１４２を隠すため、アクセスドア（図示なし）を提供してもよい。ハウジング１４０は、一体成型、一体型構造、又は、例えば個々の部品を嵌め込みによって組み立てる２つ以上の部品として、形成することができる。
【００３６】
図４に示すように、筆記アセンブリ１０２は、筆記部材１０６上にメッセージ１４４を書くことによって、そこにいない別の人に情報を伝えたい人が使用することができる。メッセージ１４４が受け取られると、そのメッセージを消去することができ、これにより筆記アセンブリ１０２上に別のメッセージを書くことができる。
【００３７】
別の態様において、本発明はエンドユーザに対し、カスタマイズされたドライイレースボードを作成する方法を提供する。この方法には、カバー部材４などのカバー部材を提供すること、カバー部材４内に筆記部材６などの視覚的に透明かつ柔軟な筆記部材６を配置すること、この柔軟な筆記部材に隣接してカバー部材４内にフィットするような寸法のグラフィックシート８などのシート材を提供すること、このシート材をパーソナライズすることによってパーソナライズされたグラフィックディスプレイ部材を作成すること、筆記部材に隣接してカバー部材内にこのパーソナライズされたグラフィックディスプレイ部材を配置すること、パーソナライズされたグラフィックディスプレイ部材に隣接してカバー部材内に裏張り部材（裏張り部材１０など）を配置することが挙げられる。
【００３８】
発明の概念から逸脱することなく上述される発明の様々な変更や修正ができることは、当業者には理解されよう。このように、本発明の範囲を本願出願に記載の構造に限定すべきではなく、特許請求の範囲の文言によって記載の構造物及びそれらの同等物によってのみ限定されるものである。
【図１】
2010537865.tif 000003
【図２】
2010537865.tif 000004
【図３】
2010537865.tif 000005
【図４】
2010537865.tif 000006
【国際調査報告】
2010537865.tif 000007
2010537865.tif 000008